(57)【要約】【課題】  伝送路のプロテクション切換に、波長選択性をもつパッシブな光モジュールを用い、伝送路の異常を検知した可変波長送受信器の送信波長を変更するだけで、波長選択光モジュールが、伝送路の系切換を実現することを目的とする。【解決手段】  運用系伝送路１の障害を検出したノード装置Ａ３の可変波長送受信器５〜５ｎは、監視制御部６に検出結果を通知する。監視制御部６は、予備系伝送路２で使用していない波長情報λｊ〜λｊｎと波長切換要求を可変波長送受信器５〜５ｎとノード装置Ｂ４の可変波長送受信器７〜７ｎに通知する。可変波長送受信器５〜５ｎは、送信する信号光の波長をλｉ〜λｉｎからλｊ〜λｊｎに変更する。インタリーバ９〜９ｎは、可変波長送受信器５〜５ｎからの信号光を予備系合分波部１５、予備系光増幅部１６を介して予備系伝送路２へ出力する。ノード装置Ｂ４は、予備系伝送路２からの波長多重光を受信する。【選択図】        図１
2006186538.tif 000002
【特許請求の範囲】
【請求項１】
波長の異なる光信号を出力可能な送信部と、
前記送信部からの光信号を入力する入力ポートと光信号を出力する第１、第２出力ポートとを有し、かつ入力する光信号を前記第１、第２出力ポートの何れから出力するか当該光信号の波長に応じた出力先が予め定められた経路切換部と、
前記経路切換部における経路を切り換えるために前記送信部が出力する光信号の波長の切換信号を出力する監視制御部と、
前記経路切換部の前記第１出力ポートからの光信号を入力して第１光伝送路に出力する第１光伝送路インタフェース部と、
前記経路切換部の前記第２出力ポートからの光信号を入力して第２光伝送路に出力する第２光伝送路インタフェース部とを備えることを特徴とする光伝送装置。
【請求項２】
前記送信部は、波長多重伝送に適した波長間隔で波長の異なる光信号を出力可能であり複数設けられ、
前記経路切換部は、前記複数の送信部に対応して複数設けられ、
前記監視制御部は、前記複数の送信部に波長の切換信号を出力可能であり、
前記第１光伝送路インタフェース部は、前記複数の経路切換部それぞれの第１出力ポートからの光信号を入力して多重化した第１多重化光信号を第１光伝送路に出力し、
前記第２光伝送路インタフェース部は、前記複数の経路切換部それぞれの第２出力ポートからの光信号を入力して多重化した第２多重化光信号を第２光伝送路に出力することを特徴とする請求項１に記載の光伝送装置。
【請求項３】
前記経路切換部は、波長多重伝送に適した波長間隔の波長それぞれに応じた出力先が予め定められ、
前記監視制御部は、前記経路切換部による前記波長それぞれに応じた出力先を予め記憶する記憶部を有し、第１、第２光伝送路の何れかの監視情報に基づき、前記記憶部に記憶した前記波長それぞれに応じた出力先を参照して、該当する送信部へ切換波長を指示する切換信号を出力することを特徴とする請求項１又は２に記載の光伝送装置。
【請求項４】
前記監視制御部は、該当する送信部へ切換信号を出力すると共に、光伝送路を介して受信側装置に切換波長を通知することを特徴とする請求項３に記載の光伝送装置。
【請求項５】
前記経路切換部は、所定の波長間隔毎に第１、第２出力ポートに交互に出力されるように予め定められたインタリーバであることを特徴とする請求項１から４何れかに記載の光伝送装置。
【請求項６】
前記経路切換部は、取り扱う波長帯域の中心付近で長波側波長帯と短波側波長帯とに分離するように予め定められていることを特徴とする請求項１から４何れかに記載の光伝送装置。
【請求項７】
前記監視制御部は、第１、第２光伝送路を介して伝送された光信号を受信する光受信部であり、前記第１、第２光伝送路の何れかからの受信光信号の光強度及び品質の何れかに基づき前記送信部へ切換波長を指示する切換信号を出力することを特徴とする請求項１から４何れかに記載の光伝送装置。
【請求項８】
波長の異なる光信号を出力可能な第１、第２送信部と、
前記第１、第２送信部からの光信号を入力する第１、第２入力ポートと前記第１、第２入力ポートからの光信号それぞれを分岐する分岐部と光信号を出力する第１〜第４出力ポートとを有し、かつ光信号が前記第１〜第４出力ポートの何れから出力するか当該光信号の波長と入力ポートとに応じた出力先が予め定められた経路切換部と、
前記経路切換部における経路を切り換えるために前記第１、第２送信部の何れかが出力する光信号の波長の切換信号を出力する監視制御部と、
前記経路切換部の前記第１、第２出力ポートからの光信号を入力する第１インタフェース側第１、第２入力ポートと光信号を第１光伝送路に出力する第１インタフェース側出力ポートとを有する第１光伝送路インタフェース部と、
前記経路切換部の前記第３、第４出力ポートからの光信号を入力する第２インタフェース側第１、第２入力ポートと光信号を第２光伝送路に出力する第２インタフェース側出力ポートとを有する第２光伝送路インタフェース部とを備えることを特徴とする光伝送装置。
【請求項９】
波長多重伝送に適した波長間隔で波長の異なる光信号を出力可能な第１、第２送信部と、
前記第１、第２送信部からの光信号を入力する第１、第２入力ポートと光信号を出力する第１、第２出力ポートとを有し、かつ入力する光信号が前記第１、第２出力ポートの何れから出力するかその波長と入力ポートとに応じた出力先が予め定められた経路切換部と、
前記経路切換部における経路を切り換えるために前記第１、第２送信部の何れかが出力する光信号の波長の切換信号を出力する監視制御部と、
前記経路切換部の前記第１出力ポートからの光信号を入力して第１光伝送路に出力する第１光伝送路インタフェース部と、
前記経路切換部の前記第２出力ポートからの光信号を入力して第２光伝送路に出力する第２光伝送路インタフェース部とを備えることを特徴とする光伝送装置。
【請求項１０】
波長多重伝送に適した波長間隔で波長の異なる光信号を出力可能な第１送信部と、
予め定められた波長の光信号を出力する第２送信部と、
前記第１、第２送信部からの光信号を入力する第１、第２入力ポートと前記第１、第２入力ポートからの光信号の何れか一方を分岐する分岐部と光信号を出力する第１〜第３出力ポートとを有し、かつ入力する光信号が前記第１〜第３出力ポートの何れから出力するかその波長と入力ポートとに応じた出力先が予め定められた経路切換部と、
前記経路切換部における経路を切り換えるために前記第１送信部が出力する光信号の波長の切換信号を出力する監視制御部と、
前記経路切換部の前記第１出力ポートからの光信号を入力して第１光伝送路に出力する第１光伝送路インタフェース部と、
前記経路切換部の前記第２、第３出力ポートの何れかからの光信号を入力して第２光伝送路に出力する第２光伝送路インタフェース部とを備えることを特徴とする光伝送装置。
【請求項１１】
送信すべき光信号の波長を切換可能な送信部と、前記送信部からの光信号を当該光信号の波長に応じて複数の光伝送路の何れに出力するかが予め定められた経路切換部と、前記経路切換部による波長に応じた出力先を記憶する記憶部を有し光伝送路の監視情報に基づき前記送信部が出力する光信号の波長の切換を指示する監視制御部とを備える光送信装置と、前記複数の光伝送路を介して接続された光受信装置との間で運用する光伝送路を切り換える光伝送路切換方法において、
前記監視制御部は運用中の光伝送路の監視情報に基づき前記記憶部に記憶した前記経路切換部の波長に応じた出力先を参照して他の光伝送路に切り換えるための波長切換指示を前記送信部に出力し、
前記送信部は前記波長切換指示に基づき波長を切り換えた光信号を出力し、
前記経路切換部により波長を切り換えられた光信号が当該他の光伝送路に出力されることを特徴とする光伝送路切換方法。
【発明の詳細な説明】
【技術分野】
【０００１】
本発明は、陸上系のリング型波長多重伝送システムに関するもので、特に、伝送路で障害が発生した場合に、パッシブな光部品と波長可変光送信器を用いることで高信頼なプロテクション切換を実現する手法に関するものである。
【背景技術】
【０００２】
リング型波長多重伝送システムにおいては、伝送路の障害が発生した際に、即座にサービスが復旧できるように冗長構成を用いた伝送路のプロテクション機能が必要である。従来のリング型波長多重伝送システムは、光送受信器、光チャネル挿入器、光チャネル分岐器、２つの光ファイバ伝送路、光ブリッジ、選択用光スイッチからなる冗長型光伝送システムにおいて、選択用光スイッチに２×１もしくは２×２光スイッチを適用し、光ブリッジ用に光カプラを１台使用して、伝送路のプロテクション切換を実現している（たとえば、特許文献１参照）。
【特許文献１】特開２００２−２７１２６９号公報
【発明の開示】
【発明が解決しようとする課題】
【０００３】
従来の光伝送装置での伝送路のプロテクション切換では、送受信器と波長多重デバイスとの間で、送受信器が波長多重デバイスに光信号（信号光ともいう。）を送信する送信側、あるいは送受信器が波長多重デバイスから光信号を受信する受信側に光スイッチを用いて、伝送経路を切り換えていた。その切換方法は、光スイッチモジュール、電気駆動回路、切換条件検出部、監視制御部から構成される装置において、切換条件検出部で、信号光断、あるいは信号劣化を検出した後、監視制御部に通知し、監視制御部では光スイッチの駆動部に切換要求を通知し、光スイッチの電気駆動回路が光スイッチを制御し、系切換を行うというものである。したがって、切換条件検出部、監視制御部、光スイッチの電気駆動回路が必要となり、回路規模が大きくなること、複雑な信号処理が必要であること、アクティブな部品点数の多くなることで、通信装置の信頼性が低くなることが課題であった。
【０００４】
本発明は、伝送路のプロテクション切換に、光スイッチの代わりに外部からの制御を一切必要としない波長選択性をもつパッシブな光モジュールを用い、伝送路の異常を検知した可変波長送受信器の送信波長を変更するだけで、波長選択光モジュールが、伝送路の系切換を実現することを目的とする。さらに、本発明は、パッシブな光モジュールを使用することで、外部の電気処理を必要とせず、また、可変波長送受信器で閉じた波長切換制御を行うことで、実装規模を縮小し、複雑な信号処理を不要とし、アクティブな部品点数を削減し、より高信頼なリング型波長多重伝送システムを得ることを目的としている。
【課題を解決するための手段】
【０００５】
本発明の光伝送装置は、
波長の異なる光信号を出力可能な送信部と、
前記送信部からの光信号を入力する入力ポートと光信号を出力する第１、第２出力ポートとを有し、かつ入力する光信号を前記第１、第２出力ポートの何れから出力するか当該光信号の波長に応じた出力先が予め定められた経路切換部と、
前記経路切換部における経路を切り換えるために前記送信部が出力する光信号の波長の切換信号を出力する監視制御部と、
前記経路切換部の前記第１出力ポートからの光信号を入力して第１光伝送路に出力する第１光伝送路インタフェース部と、
前記経路切換部の前記第２出力ポートからの光信号を入力して第２光伝送路に出力する第２光伝送路インタフェース部とを備えることを特徴とする。
【発明の効果】
【０００６】
本発明により、光伝送装置が、光スイッチの代わりにパッシブな光モジュールを用いて、伝送路の系切換を行うことが可能となる。また、本発明により、高信頼なリング型波長多重伝送システムを得ることが可能となる。
【発明を実施するための最良の形態】
【０００７】
以下、本発明の実施の形態を図に基づいて説明する。下記実施の形態１から７は、便宜上２つのノードからなるリング型システムを用いて説明しているが、３つ以上のノードからなるリング型システムにも適用可能である。
【０００８】
実施の形態１．
図１は、本実施の形態に係るリング型波長多重伝送システムの構成を示すブロック図である。図１において、運用系伝送路１は第１光伝送路、予備系伝送路２は第２光伝送路、ノード装置Ａ３とノード装置Ｂ４はそれぞれ光伝送装置（光送信装置又は光受信装置）の一例である。また、ノード装置Ａ３の可変波長送受信器５〜５ｎは送信部と光受信部との組み合わせ、インタリーバ９〜９ｎは経路切換部、運用系合分波部１３及び運用系光増幅部１４は第１光伝送路インタフェース部、予備系合分波部１５及び予備系光増幅部１６は第２光伝送路インタフェース部の一例である。また、ノード装置Ｂ４の可変波長送受信器７〜７ｎは送信部と光受信部との組み合わせ、インタリーバ１１〜１１ｎは経路切換部、運用系合分波部１７及び運用系光増幅部１８は第１光伝送路インタフェース部、予備系合分波部１９及び予備系光増幅部２０は第２光伝送路インタフェース部の一例である。
【０００９】
図１において、運用系伝送路１と予備系伝送路２とがあり、この２つの伝送路にそれぞれ、光伝送装置であるノード装置Ａ３とノード装置Ｂ４からの波長多重信号光が伝送されている。以下では、ノード装置Ａ３が運用系伝送路１上に信号を送信し、ノード装置Ｂ４がこの信号を受信する場合のシステムの動作を説明するが、ノード装置Ｂ４からノード装置Ａ３に信号が送信される場合も同様の処理が行われる。図１中、実線は運用系、点線は予備系の信号伝送形態を示している。
【００１０】
ノード装置Ａ３は、不図示のクライアント（ＣＬ）側から信号光（ＣＬ信号）を可変波長送受信器５〜５ｎで受信し、不図示の光／電気／光変換器により、波長多重用の信号光に変換した後、送信器（Ｔｘ）から出力する。図１において、可変波長送受信器５〜５ｎの送信器と受信器（Ｒｘ）上の斜めの矢印は、可変波長送受信器５〜５ｎにおいて波長が可変であることを示している。インタリーバ９〜９ｎは、それぞれ可変波長送受信器５〜５ｎからの光信号の波長に応じて、その光信号を第１、第２出力ポートの何れから出力するか予め定められている。本実施の形態では、インタリーバ９〜９ｎは、可変波長送受信器５〜５ｎが使用する波長多重伝送に適した波長間隔の光信号のうち、例えば、短波長から長波長へ順次チャネル番号を付した場合に、奇数チャネルを第１出力ポートへ、偶数チャネルを第２出力ポートへ出力するように構成された部品である。このインタリーバは、従来の光スイッチが自ら切換動作して経路を切り換える所謂アクティブな光部品であるのに対し、自らの動的な切換動作を要しないパッシブな光部品に相当する。ここで、本実施の形態では、運用系伝送路１に奇数チャネルの波長が使用されており、可変波長送受信器５〜５ｎは、それぞれ奇数チャネルの波長λｉ〜λｉｎの光信号を出力し、インタリーバ９〜９ｎはそれら光信号を第１出力ポートから出力して運用系合分波部１３に入力する。アレイ導波路格子や誘電体多層膜フィルタなどで構成される運用系合分波部１３に入力された波長λｉ〜λｉｎの光は、運用系合分波部１３で多重化された後、運用系光増幅部１４に入力される。運用系光増幅部１４は入力された波長多重光を増幅して、運用系伝送路１に出力する。
【００１１】
運用系伝送路１上を伝送された波長多重光は、ノード装置Ａ３の対向局であるノード装置Ｂ４の運用系光増幅部１８で受信され、増幅された後、運用系合分波部１７で各波長に分波される。その後、３ｄＢカプラ１２〜１２ｎ（光カプラの一例）を介して、可変波長送受信器７〜７ｎの受信器（Ｒｘ）で受信され、クライアント側へ送出される。
【００１２】
システム運用中に、運用系伝送路１で障害が発生した場合には、可変波長送受信器５〜５ｎと可変波長送受信器７〜７ｎは、例えばＬＯＳ（Ｌｏｓｓ  Ｏｆ  Ｓｉｇｎａｌ）のような信号光断、または例えばＬＯＦ（Ｌｏｓｓ  Ｏｆ  Ｆｒａｍｅ）のような信号劣化を検出する。以下では、ノード装置Ａ３内の可変波長送受信器５〜５ｎが信号光断、または信号劣化を検出した場合の動作を説明するが、ノード装置Ｂ４においても同様の処理が行われる。
【００１３】
信号光断、または信号劣化を検出した可変波長送受信器５〜５ｎは、監視制御部６に検出結果を通知する。監視制御部６は、あらかじめメモリ（記憶部の一例）に格納されている波長マップから、可変波長送受信器５〜５ｎそれぞれの使用波長が重複しないように、予備系伝送路２で使用していない偶数チャネルの波長情報λｊ〜λｊｎを抽出し、波長情報λｊ〜λｊｎと波長切換要求を可変波長送受信器５〜５ｎとノード装置Ｂ４の可変波長送受信器７〜７ｎに通知する。このとき、監視制御部６は、例えば監視用に設定した波長の信号光を用いて、またはノード装置Ｂ４に接続された監視用の回線を通じて、ノード装置Ｂ４の可変波長送受信器７〜７ｎと通信を行う。
【００１４】
可変波長送受信器５〜５ｎは、受信した波長情報λｊ〜λｊｎと波長切換要求に基づいて、送信する信号光の波長をλｉ〜λｉｎからλｊ〜λｊｎに変更する。インタリーバ９〜９ｎは、それぞれ入力する光信号の波長に応じて出力先が予め定められているので、この場合予備系に接続する第２出力ポートから光信号を出力する。それら信号光は、予備系合分波部１５、予備系光増幅部１６を介して予備系伝送路２へ波長多重光として出力される。ノード装置Ｂ４では、予備系伝送路２からの波長多重光が、予備系光増幅部２０、予備系合分波部１９、３ｄＢカプラ１２〜１２ｎ、可変波長送受信器７〜７ｎを介して受信され、受信された信号は、クライアント側に送出される。この送信処理／受信処理において、従来技術で使用されるような光スイッチなどは必要ない。
【００１５】
以上のように、本実施の形態では、可変波長送受信器と、パッシブ光部品であるインタリーバと３ｄＢカプラを用いることで、伝送路のプロテクション切換を実現することができ、高信頼なリング型波長多重伝送システムを得ることが可能となる。
【００１６】
実施の形態２．
図２は、本実施の形態に係るリング型波長多重伝送システムの構成を示すブロック図である。図２において、運用系伝送路１は第１光伝送路、予備系伝送路２は第２光伝送路、ノード装置Ａ３とノード装置Ｂ４はそれぞれ光伝送装置の一例である。また、ノード装置Ａ３の可変波長送受信器５は送信部と光受信部との組み合わせ、インタリーバ９は経路切換部、運用系合分波部１３及び運用系光増幅部１４は第１光伝送路インタフェース部、予備系合分波部１５及び予備系光増幅部１６は第２光伝送路インタフェース部の一例である。また、ノード装置Ｂ４の可変波長送受信器７は送信部と光受信部との組み合わせ、インタリーバ１１は経路切換部、運用系合分波部１７及び運用系光増幅部１８は第１光伝送路インタフェース部、予備系合分波部１９及び予備系光増幅部２０は第２光伝送路インタフェース部の一例である。
【００１７】
実施の形態１では、監視制御部が波長マップを保持し、伝送路にて障害が発生した際には、監視制御部が予備系の波長を決定し、波長切換を制御していた。一方、本実施の形態では、図２に示すように、ノード装置Ａ３の可変波長送受信器５とノード装置Ｂ４の可変波長送受信器７が自律的に波長切換を行う。このとき、ノード装置Ａ３の可変波長送受信器５とノード装置Ｂ４の可変波長送受信器７が波長マップを格納し、あらかじめ変更可能な波長を波長マップに設定して、波長マップの設定に基づいて波長を変更してもよいし（この場合、ノード装置Ａ３の可変波長送受信器５とノード装置Ｂ４の可変波長送受信器７が監視制御部を含む。）、波長切換のパターンをあらかじめ決めておき、波長切換の際には決められた順序に従って波長を変更してもよい。
【００１８】
本実施の形態では、上記の構成により、伝送路にて障害が発生した際に、監視制御部を必要とせず、可変波長送受信器が自律的に伝送路切換を行う。監視制御部を介さず、可変波長送受信器のみで伝送路の監視及び切換が可能となるため、高速な伝送路プロテクション切換を実現することができる。
【００１９】
実施の形態３．
図３は、本実施の形態に係るリング型波長多重伝送システムの構成を示すブロック図である。図３において、運用系伝送路１は第１光伝送路、予備系伝送路２は第２光伝送路、ノード装置Ａ３とノード装置Ｂ４はそれぞれ光伝送装置の一例である。また、ノード装置Ａ３の可変波長送受信器５は送信部と光受信部との組み合わせ、帯域分離部２１は経路切換部、運用系合分波部１３及び運用系光増幅部１４は第１光伝送路インタフェース部、予備系合分波部１５及び予備系光増幅部１６は第２光伝送路インタフェース部の一例である。また、ノード装置Ｂ４の可変波長送受信器７は送信部と光受信部との組み合わせ、帯域分離部２２は経路切換部、運用系合分波部１７及び運用系光増幅部１８は第１光伝送路インタフェース部、予備系合分波部１９及び予備系光増幅部２０は第２光伝送路インタフェース部の一例である。
【００２０】
実施の形態１では、インタリーバが、送信される信号光の波長により運用系または予備系の伝送路を選択していた。その選択方法は、例えば入力された信号光の波長が奇数チャネルであれば運用系を、偶数チャネルであれば予備系を選択するといったものである。一方、本実施の形態では、図３に示すように、インタリーバの代わりにパッシブな帯域分離部２１をノード装置Ａ３に、帯域分離部２２をノード装置Ｂ４に用いている。ノード装置Ａ３の帯域分離部２１とノード装置Ｂ４の帯域分離部２２は、例えばこのシステムにおいて使用可能な波長帯を中心波長近辺で分離し、送信される信号光が短波側波長帯のものか、長波側波長帯のものかによって、運用系と予備系どちらかの伝送路を選択する。
【００２１】
本実施の形態では、上記の構成により、可変波長送受信器と、パッシブな帯域分離部と３ｄＢカプラを用いることで、伝送路のプロテクション切換を実現することができ、高信頼なリング型波長多重伝送システムを得ることが可能となる。
【００２２】
実施の形態４．
図４は、本実施の形態に係るリング型波長多重伝送システムの構成を示すブロック図である。図４において、運用系伝送路１は第１光伝送路、予備系伝送路２は第２光伝送路、ノード装置Ａ３とノード装置Ｂ４はそれぞれ光伝送装置の一例である。また、ノード装置Ａ３の可変波長送受信器５は送信部と光受信部との組み合わせ、帯域分離部２１は経路切換部、運用系合分波部１３及び運用系光増幅部１４は第１光伝送路インタフェース部、予備系合分波部１５及び予備系光増幅部１６は第２光伝送路インタフェース部の一例である。また、ノード装置Ｂ４の可変波長送受信器７は送信部と光受信部との組み合わせ、帯域分離部２２は経路切換部、運用系合分波部１７及び運用系光増幅部１８は第１光伝送路インタフェース部、予備系合分波部１９及び予備系光増幅部２０は第２光伝送路インタフェース部の一例である。
【００２３】
実施の形態３では、監視制御部が波長マップを保持し、伝送路にて障害が発生した際には、監視制御部が予備系の波長を決定し、波長切換を制御していた。一方、本実施の形態では、図４に示すように、ノード装置Ａ３の可変波長送受信器５とノード装置Ｂ４の可変波長送受信器７が自律的に波長切換を行う。このとき、ノード装置Ａ３の可変波長送受信器５とノード装置Ｂ４の可変波長送受信器７が波長マップを格納し、あらかじめ変更可能な波長を波長マップに設定して、波長マップの設定に基づいて波長を変更してもよいし（この場合、ノード装置Ａ３の可変波長送受信器５とノード装置Ｂ４の可変波長送受信器７が監視制御部を含む。）、波長切換のパターンをあらかじめ決めておき、波長切換の際には決められた順序に従って波長を変更してもよい。
【００２４】
本実施の形態では、上記の構成により、伝送路にて障害が発生した際に、監視制御部を必要とせず、可変波長送受信器が自律的に伝送路切換を行う。監視制御部を介さず、可変波長送受信器のみで伝送路の監視及び切換が可能となるため、高速な伝送路プロテクション切換を実現することができる。
【００２５】
実施の形態５．
図５は、本実施の形態に係るリング型波長多重伝送システムの構成を示すブロック図である。図５において、運用系伝送路１は第１光伝送路、予備系伝送路２は第２光伝送路、ノード装置Ａ３とノード装置Ｂ４はそれぞれ光伝送装置の一例である。また、ノード装置Ａ３の運用系可変波長送受信器３９は第１送信部と光受信部との組み合わせ、予備系可変波長送受信器２７は第２送信部と光受信部との組み合わせ、送信側インタリーバ複合部２３は経路切換部、運用系合分波部１３及び運用系光増幅部１４は第１第２光伝送路インタフェース部、予備系合分波部１５及び予備系光増幅部１６は第２第２光伝送路インタフェース部の一例である。また、ノード装置Ｂ４の運用系可変波長送受信器４０は第１送信部と光受信部との組み合わせ、予備系可変波長送受信器２８は第２送信部と光受信部との組み合わせ、送信側インタリーバ複合部２５は経路切換部、運用系合分波部１７及び運用系光増幅部１８は第１光伝送路インタフェース部、予備系合分波部１９及び予備系光増幅部２０は第２光伝送路インタフェース部の一例である。
【００２６】
実施の形態１では、各ノードが１つの可変波長送受信器に対して１つのインタリーバを備えていた。一方、本実施の形態では、インタリーバが２つの入力ポートを有し、２つの可変波長送受信器からの光信号を入力する。図５に示すように、ノード装置Ａ３の運用系可変波長送受信器３９と予備系可変波長送受信器２７は、送信側インタリーバ複合部２３の入力ポートと受信側インタリーバ複合部２４の出力ポートに接続され、ノード装置Ｂ４の運用系可変波長送受信器４０と予備系可変波長送受信器２８は、送信側インタリーバ複合部２５の入力ポートと受信側インタリーバ複合部２６の出力ポートに接続される。
【００２７】
また、実施の形態１では、可変波長送受信器が合分波部に送信する信号光はインタリーバを介し、可変波長送受信器が合分波部から受信する信号光は３ｄＢカプラを介していた。一方、本実施の形態では、図５に示すように、ノード装置Ａ３の可変波長送受信器と合分波部の間に送信側インタリーバ複合部２３と受信側インタリーバ複合部２４を設置し、ノード装置Ｂ４の可変波長送受信器と合分波部の間に送信側インタリーバ複合部２５と受信側インタリーバ複合部２６を設置している。各送信側インタリーバ複合部は、入力ポートに２入力２出力タイプのインタリーバを備え、出力ポートに１対２タイプの３ｄＢカプラを備える。各受信側インタリーバ複合部は、入力ポートに１対２タイプの３ｄＢカプラを備え、出力ポートに２入力２出力タイプのインタリーバを備える。
【００２８】
各インタリーバ複合部の一部である２入力２出力タイプのインタリーバは、例えば、第１入力ポートから入力した光信号のうち、奇数チャネルは第１の３ｄＢカプラへ、偶数チャネルは第２の３ｄＢカプラへ出力し、第２入力ポートから入力した光信号のうち、奇数チャネルは第２の３ｄＢカプラへ、偶数チャネルは第１の３ｄＢカプラへ出力するように予め定められている。第１の３ｄＢカプラはインタリーバからの光信号を２つに分岐して第１、第２出力ポートから出力し、第２の３ｄＢカプラはインタリーバからの光信号を２つに分岐して第３、第４出力ポートから出力する。これにより、同一波長の信号光が別々の入力ポートに入力されると、それぞれを異なる出力ポートから出力し、運用系と予備系とに出力することが可能となる。
【００２９】
各インタリーバ複合部の一部であるインタリーバに接続されている３ｄＢカプラはそれぞれ、ノード装置Ａ３の運用系合分波部１３、予備系合分波部１５、ノード装置Ｂ４の運用系合分波部１７、予備系合分波部１９のあらかじめ決められた入力ポートに接続される。例えば、運用系可変波長送受信器３９、予備系可変波長送受信器２７において送信される信号光の波長として、必ずλｉとλｊのうちどちらか一方が選択される場合、送信側インタリーバ複合部２３と受信側インタリーバ複合部２４の３ｄＢカプラは、運用系合分波部１３と予備系合分波部１５の波長λｉに対応する入力ポートと波長λｊに対応する入力ポートに接続される。このように各合分波部には波長依存性があり、異なる波長の信号光は異なるポートから入力されなければならないが、上記のような構成により、可変波長送受信器の送信波長が変更された場合にでも、波長多重を行うことが可能となる。
【００３０】
以下では、ノード装置Ａ３内の運用系可変波長送受信器３９が信号光断、または信号劣化を検出した場合の動作を説明するが、ノード装置Ｂ４においても同様の処理が行われる。
【００３１】
運用系可変波長送受信器３９の送信波長と予備系可変波長送受信器２７の送信波長をともにλｉとする。運用系可変波長送受信器３９が送信する信号光は、送信側インタリーバ複合部２３により、運用系合分波部１３の波長λｉ用のポートに入力され、運用系光増幅部１４を介して運用系伝送路１に送出される。予備系可変波長送受信器２７が送信する信号光は、運用系可変波長送受信器３９の送信波長と同一波長でありながら、送信側インタリーバ複合部２３により、予備系合分波部１５の波長λｉ用のポートに入力され、予備系光増幅部１６を介して予備系伝送路２に送出される。
【００３２】
運用系伝送路１で障害が発生した場合、運用系可変波長送受信器３９は信号光断、または信号劣化を検出する。信号光断、または信号劣化を検出した運用系可変波長送受信器３９が送信波長をλｊに変更すると、運用系可変波長送受信器３９が送信する信号光は、送信側インタリーバ複合部２３により、予備系合分波部１５の波長λｊ用のポートに入力され、予備系光増幅部１６を介して予備系伝送路２に送出される。
【００３３】
このように、運用系可変波長送受信器３９が送信波長をλｊに変更することで、送信側インタリーバ複合部２３により伝送路のプロテクション切換を実現でき、予備系可変波長送受信器２７の信号に影響を与えない。また、逆に、予備系伝送路２で障害が発生した場合でも、予備系可変波長送受信器２７の送信波長をλｊに変更することで、送信側インタリーバ複合部２３が自動的に伝送路の切換を実施する。この際に冗長構成を形成する部分に対して外部制御による電気的な切換動作は一切必要としないため、高信頼なプロテクションを実現することができる。さらに、運用系、予備系の伝送路で波長λｉ、λｊの両方を使用するため、伝送路の波長帯域を有効に活用することができる。
【００３４】
実施の形態６．
図６は、本実施の形態に係るリング型波長多重伝送システムの構成を示すブロック図である。図６において、運用系伝送路１は第１光伝送路、予備系伝送路２は第２光伝送路、ノード装置Ａ３とノード装置Ｂ４はそれぞれ光伝送装置の一例である。また、ノード装置Ａ３の運用系可変波長送受信器３９は第１送信部と光受信部との組み合わせ、予備系可変波長送受信器２７は第２送信部と光受信部との組み合わせ、インタリーバ９は経路切換部、運用系合分波カプラ部２９及び運用系光増幅部１４は第１光伝送路インタフェース部、予備系合分波カプラ部３０及び予備系光増幅部１６は第２光伝送路インタフェース部の一例である。また、ノード装置Ｂ４の運用系可変波長送受信器４０は第１送信部と光受信部との組み合わせ、予備系可変波長送受信器２８は第２送信部と光受信部との組み合わせ、インタリーバ１１は経路切換部、運用系合分波カプラ部３２及び運用系光増幅部１８は第１光伝送路インタフェース部、予備系合分波カプラ部３１及び予備系光増幅部２０は第２光伝送路インタフェース部の一例である。
【００３５】
実施の形態５では、ノード装置Ａ３に運用系合分波部１３、予備系合分波部１５、ノード装置Ｂ４に運用系合分波部１７、予備系合分波部１９を使用していた。これらの合分波部は波長依存性があるため、異なる波長の信号光は別々のポートに入力する必要がある。一方、本実施の形態では、合波を行うポートに波長依存性のないツリーカプラモジュール、またはスプリッタモジュールを用いた合分波カプラ部を使用する。
【００３６】
図６に示すように、ノード装置Ａ３では、運用系可変波長送受信器３９と予備系可変波長送受信器２７がインタリーバ９に接続され、インタリーバ９は運用系合分波カプラ部２９と予備系合分波カプラ部３０に接続される。また、ノード装置Ｂ４では、運用系可変波長送受信器４０と予備系可変波長送受信器２７がインタリーバ９に接続され、インタリーバ９は運用系合分波カプラ部３２と予備系合分波カプラ部３１に接続される。
【００３７】
以下では、ノード装置Ａ３内の運用系可変波長送受信器３９が信号光断、または信号劣化を検出した場合の動作を説明するが、ノード装置Ｂ４においても同様の処理が行われる。
【００３８】
運用系可変波長送受信器３９の送信波長と予備系可変波長送受信器２７の送信波長をともにλｉとする。運用系可変波長送受信器３９が送信する信号光は、インタリーバ９により、運用系合分波カプラ部２９に入力され、運用系光増幅部１４を介して運用系伝送路１に送出される。予備系可変波長送受信器２７が送信する信号光は、運用系可変波長送受信器３９の送信波長と同一波長でありながら、インタリーバ９により、予備系合分波カプラ部３０に入力され、予備系光増幅部１６を介して予備系伝送路２に送出される。
【００３９】
運用系伝送路１で障害が発生した場合、運用系可変波長送受信器３９は信号光断、または信号劣化を検出する。信号光断、または信号劣化を検出した運用系可変波長送受信器３９が送信波長をλｊに変更すると、運用系可変波長送受信器３９が送信する信号光は、インタリーバ９により、予備系合分波カプラ部３０に入力され、予備系光増幅部１６を介して予備系伝送路２に送出される。
【００４０】
このように、運用系可変波長送受信器３９が送信波長をλｊに変更することで、インタリーバ９により伝送路のプロテクション切換を実現でき、予備系可変波長送受信器２７の信号に影響を与えない。また、逆に、予備系伝送路２で障害が発生した場合でも、予備系可変波長送受信器２７の送信波長をλｊに変更することで、インタリーバ９が自動的に伝送路の切換を実施する。この際に冗長構成を形成する部分に対して外部制御による電気的な切換動作は一切必要としないため、高信頼なプロテクションを実現することができる。さらに、運用系、予備系の伝送路で波長λｉ、λｊの両方を使用するため、伝送路の波長帯域を有効に活用することができる。また、波長依存性のない合分波カプラ部を使用しているため、実施の形態５と比べて単純な構成が可能である。
【００４１】
実施の形態７．
図６は、本実施の形態に係るリング型波長多重伝送システムの構成を示すブロック図である。図６において、運用系伝送路１は第１光伝送路、予備系伝送路２は第２光伝送路、ノード装置Ａ３とノード装置Ｂ４はそれぞれ光伝送装置の一例である。また、ノード装置Ａ３の運用系可変波長送受信器３９は第１送信部と光受信部との組み合わせ、予備系可変波長送受信器２７は第２送信部と光受信部との組み合わせ、インタリーバ９は経路切換部、運用系合分波カプラ部２９及び運用系光増幅部１４は第１光伝送路インタフェース部、予備系合分波カプラ部３０及び予備系光増幅部１６は第２光伝送路インタフェース部の一例である。また、ノード装置Ｂ４の運用系可変波長送受信器４０は第１送信部と光受信部との組み合わせ、予備系可変波長送受信器２８は第２送信部と光受信部との組み合わせ、インタリーバ１１は経路切換部、運用系合分波カプラ部３２及び運用系光増幅部１８は第１光伝送路インタフェース部、予備系合分波カプラ部３１及び予備系光増幅部２０は第２光伝送路インタフェース部の一例である。
図７は、本実施の形態に係るリング型波長多重伝送システムの構成を示すブロック図である。図７において、運用系伝送路１は第１光伝送路、予備系伝送路２は第２光伝送路、ノード装置Ａ３とノード装置Ｂ４はそれぞれ光伝送装置の一例である。また、ノード装置Ａ３の可変波長送受信器５は第１送信部と光受信部との組み合わせ、固定波長送受信器３７は第２送信部と光受信部との組み合わせ、送信側インタリーバ複合部３３は経路切換部、運用系合分波部１３及び運用系光増幅部１４は第１光伝送路インタフェース部、予備系合分波部１５及び予備系光増幅部１６は第２光伝送路インタフェース部の一例である。また、ノード装置Ｂ４の可変波長送受信器７は第１送信部と光受信部との組み合わせ、固定波長送受信器３８は第２送信部と光受信部との組み合わせ、送信側インタリーバ複合部３５は経路切換部、運用系合分波部１７及び運用系光増幅部１８は第１光伝送路インタフェース部、予備系合分波部１９及び予備系光増幅部２０は第２光伝送路インタフェース部の一例である。
【００４２】
実施の形態５では、運用系伝送路と予備系伝送路の両方で同時に通信を行うことができ、運用系伝送路に障害が発生すると運用系伝送路上の通信を予備系の伝送路に切り換え、逆に予備系の伝送路に障害が発生すると予備系伝送路上の通信を運用系の伝送路に切り換えていた。一方、本実施の形態では、図７に示すように、各ノードが可変波長送受信器と固定波長送受信器を備え、可変波長送受信器がクライアント側で重要度の高い信号であるＷＯＲＫ信号の送受信に運用系伝送路１を利用し、固定波長送受信器がクライアント側で重要度の低い信号であるＥＸＴＲＡ信号の送受信に、正常時には使用されていない予備系伝送路２を利用する。
【００４３】
ノード装置Ａ３の可変波長送受信器５と固定波長送受信器３７は、送信側インタリーバ複合部３３の入力ポートと受信側インタリーバ複合部３４の出力ポートに接続され、ノード装置Ｂ４の可変波長送受信器７と固定波長送受信器３８は、送信側インタリーバ複合部３５の入力ポートと受信側インタリーバ複合部３６の出力ポートに接続される。
【００４４】
各インタリーバ複合部の一部である２入力２出力タイプのインタリーバは、例えば、入力されるポートにより奇数チャネルと偶数チャネルに分けて、異なる出力ポートに自動的に振分ける機能を有する。これにより、同一波長の信号光が別々の入力ポートに入力されると、それぞれを異なる出力ポートから出力することが可能となる。
【００４５】
各インタリーバ複合部の一部である２入力２出力タイプのインタリーバには、予備系と接続するポートに３ｄＢカプラが接続されており、それぞれが、ノード装置Ａ３の予備系合分波部１５とノード装置Ｂ４の予備系合分波部１９のあらかじめ決められたポートに接続される。
【００４６】
以下では、ノード装置Ａ３内の可変波長送受信器５が信号光断、または信号劣化を検出した場合の動作を説明するが、ノード装置Ｂ４においても同様の処理が行われる。
【００４７】
重要度の高いＷＯＲＫ信号は、運用系伝送路１が正常な場合には、可変波長送受信器５において波長λｉで送受信される。あらかじめ、ＷＯＲＫ信号の予備系伝送路２への切換用に波長λｊが割り当てられている場合は、低コストな固定波長送受信器３７において波長λｊでＥＸＴＲＡ信号が予備系伝送路２上を送受信される。
【００４８】
可変波長送受信器５が送信するＷＯＲＫ信号は、送信側インタリーバ複合部３３により、運用系合分波部１３の波長λｉ用のポートに入力され、運用系光増幅部１４を介して運用系伝送路１に送出される。固定波長送受信器３７が送信するＥＸＴＲＡ信号は、送信側インタリーバ複合部３３により、予備系合分波部１５の波長λｊ用のポートに入力され、予備系光増幅部１６を介して予備系伝送路２に送出される。
【００４９】
運用系伝送路１で障害が発生した場合には、可変波長送受信器５で信号光断、または信号劣化を検出する。信号光断、または信号劣化を検出した可変波長送受信器５は、監視制御部６に検出結果を通知する。また、信号の干渉を避けるため、ＥＸＴＲＡ信号の送受信を行っている固定波長送受信器３７は、例えば送信ＬＤ（Ｌａｓｅｒ  Ｄｉｏｄｅ）の出力停止により、信号光の送信を中断する。その後、可変波長送受信器５は、ＷＯＲＫ信号の送受信を行っている可変波長光源の送信波長をλｉからλｊに切り換え、予備系伝送路での通信を行い、プロテクション切換を実現する。
【００５０】
本実施の形態では、このようなシステム構成により、重要度の高い信号の伝送においては伝送路プロテクション切換を実施し、重要度の低い信号の伝送には空いている波長帯域を利用することができ、低コストで効率的な通信が可能となる。
【００５１】
上記実施の形態１から７で説明したリング型波長多重伝送システムは、
複数の波長多重ノード装置から構成されるリング型ネットワークにおいて、可変波長送受信器と、１台の可変波長送受信器の波長多重側インタフェースにおいて伝送路の経路選択を行うパッシブな光モジュール部と、波長多重分離を行う合分波部と、波長多重した信号光を一括増幅する光増幅部と、波長情報、及びノード装置内の警報監視を行っている監視制御部からなる。
【００５２】
また、リング型波長多重伝送システムは、
上記複数の波長多重ノード装置から構成されるリング型ネットワークにおいて、１台の可変波長送受信器の波長多重側インタフェースにおいて伝送路の経路選択を行うパッシブな光モジュール部と、波長多重分離を行う合分波部と、波長多重した信号光を一括増幅する光増幅部と、監視制御部からの切換制御を不要とし、伝送路警報を検出した後、自立的に送信波長を可変し、プロテクション切換を実現する可変波長送受信器を有する。
【００５３】
また、リング型波長多重伝送システムは、
複数の波長多重ノード装置から構成されるリング型ネットワークにおいて、可変波長送受信器と、２台の可変波長送受信器の波長多重側インタフェースにおいて伝送路の経路選択を行う２×２タイプのインタリーバと、波長多重分離を行う合分波部と、波長多重した信号光を一括増幅する光増幅部とを有する。
【００５４】
また、リング型波長多重伝送システムは、
複数の波長多重ノード装置から構成されるリング型ネットワークにおいて、可変波長送受信器と、固定波長送受信器と、２台の送受信器の波長多重側インタフェースにおいて伝送路の経路選択を行う２×２タイプのインタリーバと、波長多重分離を行う合分波部と、波長多重した信号光を一括増幅する光増幅部とを有する。
【００５５】
上記実施の形態１から７で説明した光伝送装置は、
複数の信号光を波長多重して送信する光伝送装置において、
設定後に変更可能な光の波長を設定し、設定した波長の信号光を送信する送信部と、
前記送信部が送信した信号光を入力し、入力した信号光の波長によって複数の出力先のうち１つを選択し、当該信号光を選択した出力先に出力する経路切換部と、
前記経路切換部が出力した信号光を波長多重して波長多重光を生成する第１合波部と、
前記第１合波部が生成した波長多重光を第１光伝送路に出力する第１光出力部と、
前記経路切換部が出力した信号光を波長多重して波長多重光を生成する第２合波部と、
前記第２合波部が生成した波長多重光を第２光伝送路に出力する第２光出力部とを備えることを特徴とする。
【００５６】
前記光伝送装置は、さらに、
前記第１光伝送路から波長多重光を入力する第１光入力部と、
前記第１光入力部が入力した波長多重光を波長分離して信号光を生成する第１分波部と、
前記第２光伝送路から波長多重光を入力する第２光入力部と、
前記第２光入力部が入力した波長多重光を波長分離して信号光を生成する第２分波部と、
前記第１分波部が生成した信号光と前記第２分波部が生成した信号光とを出力する経路接続部と、
前記経路接続部が出力した信号光を受信する光受信部とを備えることを特徴とする。
【００５７】
前記光受信部は、
前記第１光伝送路と前記第２光伝送路とのうち少なくとも１つにおける障害の発生を感知し、
前記光伝送装置は、さらに、
前記光受信部が前記障害の発生を感知すると、前記送信部に波長の変更を指示する監視制御部を備え、
前記送信部は、
前記監視制御部の指示に従って波長を変更し、変更した波長の信号光を送信することを特徴とする。
【００５８】
前記光受信部は、
前記第１光伝送路と前記第２光伝送路とのうち少なくとも１つにおける障害の発生を感知し、
前記送信部は、
前記光受信部が前記障害の発生を感知すると、波長を変更し、変更した波長の信号光を送信することを特徴とする。
【００５９】
前記光伝送装置は、
前記送信部と前記光受信部との組み合わせを２つ以上備え、
前記経路切換部は、
前記送信部が送信した信号光を入力し、入力した信号光の波長とどの送信部が当該信号光を送信したかとによって複数の出力先のうち１つを選択し、当該信号光を選択した出力先に出力し、
前記経路接続部は、
前記第１分波部が生成した信号光と前記第２分波部が生成した信号光とを、当該信号光の波長とどの分波部が当該信号光を生成したかとによって出力先を選択し、当該信号光を選択した出力先に出力することを特徴とする。
【００６０】
前記光伝送装置は、さらに、
所定の波長の信号光を送信する固定波長送信部と、
前記経路接続部が出力した信号光を受信する固定波長受信部とを備え、
前記経路切換部は、
前記固定波長送信部が送信した信号光を入力し、入力した信号光を所定の出力先に出力し、
前記経路接続部は、
前記第１分波部と前記第２分波部とのうち所定の分波部が生成した信号光を前記固定波長受信部に出力することを特徴とする。
【００６１】
前記経路切換部は、
入力した信号光の波長によって２つの出力ポートのうち１つを選択し、当該信号光を選択した出力ポートに出力するインタリーバを有することを特徴とする。
【００６２】
前記経路切換部は、
入力した信号光の波長が短波帯波長であれば２つの出力ポートのうち一方の出力ポートを選択し、長波帯波長であれば他方の出力ポートを選択し、当該信号光を選択した出力ポートに出力する帯域分離部を有することを特徴とする請求項１から４いずれかに記載の光伝送装置。
【００６３】
前記経路接続部は、
２つの入力ポートのうち一方の入力ポートから前記第１分波部が生成した信号光を入力し、他方の入力ポートから前記第２分波部が生成した信号光を入力し、入力した信号光の両方を１つの出力先から出力する光カプラを有することを特徴とする。
【００６４】
前記経路接続部は、
２つの入力ポートのうち一方の入力ポートから前記第１分波部が生成した信号光を入力し、他方の入力ポートから前記第２分波部が生成した信号光を入力し、入力した信号光の波長によって２つの出力ポートのうち１つを選択し、当該信号光を選択した出力先に出力するインタリーバを有することを特徴とする。
【００６５】
上記実施の形態１から７で説明した光伝送方法は、
複数の信号光を波長多重して送信する光伝送装置を用いる光伝送方法において、
設定後に変更可能な光の波長を設定し、設定した波長の信号光を送信する送信工程と、
前記送信工程で送信した信号光を入力し、入力した信号光の波長によって複数の出力先のうち１つを選択し、当該信号光を選択した出力先に出力する経路切換工程と、
前記経路切換工程で出力した信号光を波長多重して波長多重光を生成する第１合波工程と、
前記第１合波工程で生成した波長多重光を第１光伝送路に出力する第１光出力工程と、
前記経路切換工程で出力した信号光を波長多重して波長多重光を生成する第２合波工程と、
前記第２合波工程で生成した波長多重光を第２光伝送路に出力する第２光出力工程とを備えることを特徴とする。
【００６６】
前記光伝送方法は、さらに、
前記第１光伝送路から波長多重光を受信する第１光入力工程と、
前記第１光入力工程で受信した波長多重光を波長分離して信号光を生成する第１分波工程と、
前記第２光伝送路から波長多重光を受信する第２光入力工程と、
前記第２光入力工程で受信した波長多重光を波長分離して信号光を生成する第２分波工程と、
前記第１分波工程で生成した信号光と前記第２分波工程で生成した信号光とを出力する経路接続工程と、
前記経路接続工程で出力した信号光を受信する光受信工程とを備えることを特徴とする。
【図面の簡単な説明】
【００６７】
【図１】本発明の実施の形態１に係るリング型波長多重伝送システムの構成を示すブロック図。
【図２】本発明の実施の形態２に係るリング型波長多重伝送システムの構成を示すブロック図。
【図３】本発明の実施の形態３に係るリング型波長多重伝送システムの構成を示すブロック図。
【図４】本発明の実施の形態４に係るリング型波長多重伝送システムの構成を示すブロック図。
【図５】本発明の実施の形態５に係るリング型波長多重伝送システムの構成を示すブロック図。
【図６】本発明の実施の形態６に係るリング型波長多重伝送システムの構成を示すブロック図。
【図７】本発明の実施の形態７に係るリング型波長多重伝送システムの構成を示すブロック図。
【符号の説明】
【００６８】
１  運用系伝送路、２  予備系伝送路、３  ノード装置Ａ、４  ノード装置Ｂ、５，７  可変波長送受信器、６，８  監視制御部、９，１１  インタリーバ、１０，１２  ３ｄＢカプラ、１３，１７  運用系合分波部、１４，１８  運用系光増幅部、１５，１９  予備系合分波部、１６，２０  予備系光増幅部、２１，２２  帯域分離部、２３，２５，３３，３５  送信側インタリーバ複合部、２４，２６，３４，３６  受信側インタリーバ複合部、３９，４０  運用系可変波長送受信器、２７，２８  予備系可変波長送受信器、２９，３２  運用系合分波カプラ部、３０，３１  予備系合分波カプラ部、３７，３８  固定波長送受信器。
【図１】
2006186538.tif 000003
【図２】
2006186538.tif 000004
【図３】
2006186538.tif 000005
【図４】
2006186538.tif 000006
【図５】
2006186538.tif 000007
【図６】
2006186538.tif 000008
【図７】
2006186538.tif 000009